(57)【要約】【課題】全熱交換換気装置において、筐体と全熱交換素子との間の密閉性を高め、かつ全熱交換素子の筐体からの挿抜時のメンテナンス性を確保する。【解決手段】下方垂直隔壁の筐体下レール部の下側壁部は、挿入完了位置に近づくにつれ、下方向、すなわち重力方向に向かって段階的に変位している。全熱交換素子が挿入完了位置に位置付けられたとき、フレーム下スライド部と筐体下レール部の下側壁部とが当接している面、およびフレーム下スライド部と筐体下レール部の下側壁部とが当接している面と直交する方向において、筐体下シール部材の下面を下方垂直隔壁へ近づける方向へ、下側壁部は段階的に変位している。【選択図】図４
2018063069.tif 000002
【特許請求の範囲】
【請求項１】
箱形の筐体と、
前記筐体の内部に配置される全熱交換素子と、
前記全熱交換素子を支持するフレーム部と、
前記筐体の内壁において、前記筐体の内部に向かって突出するよう形成され、前記フレーム部が支持される隔壁と、
前記フレーム部と前記隔壁との間に設けられ、前記フレーム部と前記隔壁とをシールするシール部材とを備え、
前記フレーム部に支持されている前記全熱交換素子が前記筐体に対して挿抜可能に構成されている全熱交換換気装置であって、
前記隔壁は、前記全熱交換素子の挿抜方向に沿って延び、前記全熱交換素子を挿抜するとき前記フレーム部を案内するレール部を有し、
前記フレーム部は、前記レール部に摺動可能に当接している被案内部を有し、
前記レール部は、
前記全熱交換素子が前記筐体への挿入開始位置に位置づけられたとき、前記フレーム部と前記シール部材との間および前記隔壁と前記シール部材との間のいずれか一方に間隙が形成され、前記全熱交換素子が前記筐体への挿入完了位置に位置づけられたとき、前記シール部材が前記フレーム部および前記隔壁と当接するよう、前記フレーム部と前記レール部とが当接している面と交差する方向において変位している
全熱交換換気装置。
【請求項２】
前記シール部材は前記フレーム部に取り付けられており、
前記挿入開始位置において、前記シール部材と前記隔壁との間に間隙が形成されており、
前記レール部は、前記全熱交換素子が前記挿入完了位置に近づくにつれ前記間隙が小さくなり、前記全熱交換素子が前記挿入完了位置に位置づけられたとき、前記シール部材が前記隔壁に密着するよう、前記フレーム部と前記レール部とが当接している面と交差する方向において変位している、請求項１に記載の全熱交換換気装置。
【請求項３】
前記シール部材は前記隔壁に取り付けられており、
前記挿入開始位置において、前記シール部材と前記フレーム部との間に間隙が形成されており、
前記レール部は、前記全熱交換素子が前記挿入完了位置に近づくにつれ前記間隙が小さくなり、前記挿入完了位置に位置づけられたとき、前記シール部材が前記フレーム部に密着するよう、前記フレーム部と前記レール部とが当接している面と交差する方向において変位している、請求項１に記載の全熱交換換気装置。
【請求項４】
前記レール部は、前記フレーム部と前記レール部とが当接している面と交差する方向において段階的に変位している請求項２または３に記載の全熱交換換気装置。
【請求項５】
さらに、前記全熱交換素子が前記挿入完了位置に位置づけられたとき、前記シール部材を圧縮するための圧縮部材を備えている請求項１〜４のいずれか一項に記載の全熱交換換気装置。
【請求項６】
前記圧縮部材は円柱状の部材であり、
前記挿入完了位置において、前記挿抜方向に延び前記フレーム部が摺動可能に当接する前記レール部の第１の壁部と、前記挿抜方向に延び前記第１の壁部に対向する第２の壁部との間において、前記挿抜方向と交差する方向に延びるよう配設されており、
前記全熱交換素子が前記挿入完了位置に位置づけられたとき、前記フレーム部は前記第１の壁部と前記圧縮部材との間に位置づけられる請求項５に記載の全熱交換換気装置。
【請求項７】
複数の前記レール部を備え、複数の前記レール部は、前記フレーム部と前記レール部とが当接している面と交差する方向において階層的に配置されており、
前記フレーム部は複数の前記レール部のそれぞれに対応する複数の前記被案内部を有している請求項１に記載の全熱交換換気装置。
【請求項８】
前記フレーム部と前記レール部とが当接している面と交差する方向において複数の前記レール部が変位している位置は、前記挿入開始位置からの距離がそれぞれ異なっている請求項７に記載の全熱交換換気装置。
【請求項９】
前記シール部材に相対的に近い前記レール部の変位している位置の前記挿入開始位置からの距離は、前記シール部材から相対的に遠い前記レール部の変位している位置の前記挿入開始位置からの距離よりも短い、請求項８に記載の全熱交換換気装置。
【請求項１０】
複数の前記レール部のそれぞれの前記変位している位置に前記シール部材を圧縮するための圧縮部材が配設されており、
複数の前記被案内部は、複数の前記レール部のそれぞれの前記変位している位置において、前記レール部と前記圧縮部材との間に位置決めされる
請求項７〜９のいずれか一項に記載の全熱交換換気装置。
【発明の詳細な説明】
【技術分野】
【０００１】
本発明は、全熱交換素子を有する全熱交換換気装置に関する。
【背景技術】
【０００２】
従来、全熱交換換気装置は全熱交換素子を備えており、ユーザおよび管理会社は、全熱交換素子を定期的に清掃およびメンテナンス作業を実施しなければならない。このような清掃およびメンテナンス作業は、全熱交換素子を全熱交換換気装置の筐体から取り出して行われる。そこで、筐体から全熱交換素子を一方向に引き出して取り出すための構造として、レール構造が提案されている（特許文献１、特許文献２）。
【先行技術文献】
【特許文献】
【０００３】
【特許文献１】特許第５０６３４５１号公報
【特許文献２】特開昭６３−１９４１９２号公報
【発明の概要】
【発明が解決しようとする課題】
【０００４】
しかしながら、特許文献１および特許文献２に記載のレール構造では、本来遮蔽すべき筐体と全熱交換素子との隙間で空気漏れがおき、高い換気性能を実現することが出来ない。一方、筐体と全熱交換素子との隙間を狭くすると全熱交換素子の引き出し作業がしづらくなり、メンテナンス性が下がるという問題がある。
【０００５】
本発明は、上述のような課題を背景としてなされたものであり、全熱交換換気装置において、筐体と全熱交換素子との間の密閉性を高め、かつ全熱交換素子の筐体からの挿抜時のメンテナンス性を確保することを目的としている。
【課題を解決するための手段】
【０００６】
本発明に係る全熱交換換気装置は、箱形の筐体と、前記筐体の内部に配置される全熱交換素子と、前記全熱交換素子を支持するフレーム部と、前記筐体の内壁において、前記筐体の内部に向かって突出するよう形成され、前記フレーム部が支持される隔壁と、前記フレーム部と前記隔壁との間に設けられ、前記フレーム部と前記隔壁とをシールするシール部材とを備え、前記フレーム部に支持されている前記全熱交換素子が前記筐体に対して挿抜可能に構成されている全熱交換換気装置であって、前記隔壁は、前記全熱交換素子の挿抜方向に沿って延び、前記全熱交換素子を挿抜するとき前記フレーム部を案内するレール部を有し、前記フレーム部は、前記レール部に摺動可能に当接している被案内部を有し、前記レール部は、前記全熱交換素子が前記筐体への挿入開始位置に位置づけられたとき、前記フレーム部と前記シール部材との間および前記隔壁と前記シール部材との間のいずれか一方に間隙が形成され、前記全熱交換素子が前記筐体への挿入完了位置に位置づけられたとき、前記シール部材が前記フレーム部および前記隔壁と当接するよう、前記フレーム部と前記レール部とが当接している面と交差する方向において変位しているものである。
【発明の効果】
【０００７】
本発明によれば、全熱交換素子が支持されたフレーム部を案内するレール部は、全熱交換素子が筐体への挿入開始位置に位置づけられたとき、フレーム部とシール部材との間および隔壁とシール部材との間のいずれか一方に間隙が形成され、全熱交換素子が筐体への挿入完了位置に位置づけられたとき、シール部材がフレーム部および隔壁と当接するよう、フレーム部とレール部とが当接している面と交差する方向において変位している。従って、フレーム部とシール部材との間および隔壁とシール部材との間のいずれか一方に形成されている間隙により、全熱交換素子を筐体に挿入するとき、あるいは筐体から取り出すときの動作をスムーズに行うことができる。さらに、全熱交換素子が筐体への挿入完了位置に位置づけられたとき、シール部材がフレーム部および隔壁と当接するため、筐体と全熱交換素子との間の密閉性を高めることができる。すなわち、全熱交換換気装置のメンテナンス時の作業性の向上と、全熱交換換気装置の使用時の高い空気交換効率とを両立することができる。
【図面の簡単な説明】
【０００８】
【図１】本発明の実施の形態１に係る全熱交換換気装置の縦断面図である。
【図２】本発明の実施の形態１に係る全熱交換換気装置の全熱交換素子の下方の支持構造を拡大して示す断面図である。
【図３】全熱交換素子の下方の支持構造の全熱交換素子フレームの斜視図である。
【図４】本発明の実施の形態１に係る全熱交換換気装置の全熱交換素子の下方の支持構造を側面から示す図である。
【図５】本発明の実施の形態１に係る全熱交換換気装置の全熱交換素子の上方の支持構造を拡大して示す断面図である。
【図６】本発明の実施の形態１に係る全熱交換換気装置の全熱交換素子の側方の支持構造を拡大して示す断面図である。
【図７】本発明の実施の形態２に係る全熱交換換気装置の全熱交換素子の下方の支持構造を拡大して示す断面図である。
【図８】本発明の実施の形態２に係る全熱交換換気装置の全熱交換素子の下方の支持構造を側面から示す図である。
【発明を実施するための形態】
【０００９】
以下、本発明の全熱交換換気装置の好適な実施の形態について図面を用いて説明する。なお、以下に説明する実施の形態によって本発明が限定されるものではない。また、図面における各構成部材の大きさ、形状は、説明のためにわかりやすく表しており、実際の大きさ、形状と異なる場合がある。
【００１０】
実施の形態１．
図１は、本発明の実施の形態１に係る全熱交換換気装置の縦断面図である。全熱交換換気装置１は箱形の部材である筐体２を有している。筐体２には、外気吸込口２１、外気吹出口２２、室内空気吸込口２３、および室内空気吹出口２４が設けられている。外気吹出口２２および室内空気吸込口２３は、図１において右側位置する側面に設けられ、外気吸込口２１および室内空気吹出口２４は、図１において左側位置する側面に設けられている。筐体２の内部には、給気ファンユニット３、排気ファンユニット４、制御基板５、および全熱交換素子６が配設されている。給気ファンユニット３および排気ファンユニット４は制御基板５によって制御される。前記筐体２の上面の内壁には、一対の上方垂直隔壁２５１、２５２が形成され、下面の内壁には一対の下方垂直隔壁２７１、２７２が形成され、右側面の内壁には水平隔壁２６１が形成され、左側面の内壁には水平隔壁２８１が形成されている。これらの隔壁は、筐体２の内壁から筐体２の内部に向かって突出するよう形成されており、かつ筐体２内の中央部で互いに離隔している。
【００１１】
縦断面形状が矩形の全熱交換素子６は、一対の上方垂直隔壁２５１、２５２と、一対の下方垂直隔壁２７１、２７２と、水平隔壁２６１と、水平隔壁２８１とが離隔している箇所に配置されている。全熱交換素子６は、例えば、複数のシート状の紙製の仕切り部材と、複数の山谷に折られて波形の形状を有する紙製の間隔保持部材とを備えているものが用いられる。全熱交換素子６において、複数の仕切り部材と複数の間隔保持部材は交互に、かつ間隔保持部材の折り目が互い違いになるように積層されており、仕切り部材とその下の間隔保持部材との間、および仕切り部材とその上の間隔保持部材との間にそれぞれ空気の流路が複数形成されている。さらに、仕切り部材の下に形成された各流路を流れる空気と同仕切り部材の上に形成された流路は、平面視したときに略直交しており、仕切り部材の下に形成された各流路を流れる空気の間で、同仕切り部材を介して顕熱の交換及び潜熱の交換がおこなわれる。
【００１２】
全熱交換素子６の4つの角部には、それぞれ全熱交換素子フレーム６１１、６１２、６１３、６１４が取り付けられている。全熱交換素子フレーム６１１は、上方垂直隔壁２５１および２５２に支持されている。全熱交換素子フレーム６１１と上方垂直隔壁２５１との間にはシール部材４１１が配設され、全熱交換素子フレーム６１２と上方垂直隔壁２５２との間にはシール部材４１２が配設されている。全熱交換素子フレーム６１２は、水平隔壁２６１に支持されており、全熱交換素子フレーム６１２と水平隔壁２６１との間にはシール部材４２が配設されている。全熱交換素子フレーム６１３は、下方垂直隔壁２７１および２７２に支持されており、全熱交換素子フレーム６１３と下方垂直隔壁２７１および２７２との間にはシール部材４３が配設されている。全熱交換素子フレーム６１４は、水平隔壁２８１に支持されており、全熱交換素子フレーム６１４と水平隔壁２８１との間にはシール部材４４が配設されている。
【００１３】
全熱交換素子６は、全熱交換素子フレーム６１１、６１２、６１３、６１４が取り付けられた状態で、図１の紙面に直交する方向に沿って、筐体２の外部から内部へ挿入し、内部から外部へ抜き取ることができるよう構成されている。全熱交換素子６の挿抜の構成及び態様については後述する。
【００１４】
外気吸込口２１は、筐体２内での水平隔壁２８１の下方の空間に連通しており、外気吹出口２２は、水平隔壁２６１の上方の空間に連通している。また、室内空気吸込口２３は、水平隔壁２６１の下方の空間に連通しており、室内空気吹出し口は、水平隔壁２８１の上方の空間に連通している。
【００１５】
排気ファンユニット４は、水平隔壁２８１の上方に設置されている。排気ファンユニット４を駆動させることで、室内空気を取り込んで室外に吐き出すことができる。給気ファンユニット３は、水平隔壁２６１の上方に設置されている。給気ファンユニット３を駆動させることで、室外空気を室内に取り込むことができる。
【００１６】
全熱交換換気装置１が動作したときの各構成部材の動き、および空気の流れについて、説明する。給気ファンユニット３を駆動させることにより、外気を取込んで室内に吹き出す外気風路が全熱交換換気装置１内に形成される。外気吸込口２１は外気風路で吸込口として機能し、外気吹出口２２は外気風路で吹出口として機能する。外気吸込口２１から全熱交換換気装置１内に取込まれた外気は、全熱交換素子６、給気ファンユニット３および外気吹出口２２を介して室内に吹き出される。筐体２内部での外気の流れを、図１の矢印で給気流路として示している。
【００１７】
排気ファンユニット４を駆動させることにより、室内空気を取り込んで室外に吹き出す室内空気風路が全熱交換換気装置１内に形成される。室内空気吸込口２３は室内空気風路での吸込口として機能し、室内空気吹出口２４は室内空気風路での吹出口として機能する。室内空気吸込口２３から全熱交換換気装置１内に取り込まれ室内空気は、排気ファンユニット４および室内空気吹出口２４を介して室外に吹き出される。筐体２内部での室内空気の流れを、図１の矢印で排気流路として示している。
【００１８】
全熱交換素子フレーム６１１と上方垂直隔壁２５１とでシール部材４１１が圧縮され、全熱交換素子フレーム６１１と上方垂直隔壁２５２とでシール部材４１２が圧縮されることにより、全熱交換素子フレーム６１１と上方垂直隔壁２５１および２５２との間の空気の流れが遮断される。全熱交換素子フレーム６１２と水平隔壁２６１とでシール部材４２が圧縮されることにより、全熱交換素子フレーム６１２と水平隔壁２６１との間の空気の流れが遮断される。全熱交換素子フレーム６１３と下方垂直隔壁２７１および２７２とでシール部材４３および筐体下シール部材２３３が圧縮されることにより、全熱交換素子フレーム６１３と下方垂直隔壁２７１および２７２との間の空気の流れが遮断される。全熱交換素子フレーム６１４と水平隔壁２８１とでシール部材４４が圧縮されることにより、全熱交換素子フレーム６１４と水平隔壁２８１との間の空気の流れが遮断される。
【００１９】
図２および図３を参照して、全熱交換換気装置の全熱交換素子の下方の支持構造について説明する。図２は、本発明の実施の形態１に係る全熱交換換気装置の全熱交換素子の下方の支持構造を拡大して示す断面図である。図３は、全熱交換素子の下方の支持構造の全熱交換素子フレームの斜視図である。全熱交換素子フレーム６１３は、全熱交換素子支持部６１３４と、フレーム下シール固定部６１３３と、一対のフレーム下スライド部６１３１、６１３２とを有している。
【００２０】
フレーム下シール固定部６１３３は板状部材である。フレーム下シール固定部６１３３の上面には、長手方向の全領域にわたって全熱交換素子支持部６１３４が設けられている。図２に示されるように、全熱交換素子支持部６１３４の断面形状はＹ字型であり、全熱交換素子６の下側の角部を支持している。
【００２１】
フレーム下スライド部６１３１は、フレーム下シール固定部６１３３の長手方向に平行に延びる一対の側辺のうちの一方の側辺に設けられている。フレーム下スライド部６１３１は、フレーム下シール固定部６１３３の長手方向の一方の端部に位置している。フレーム下スライド部６１３２は、フレーム下シール固定部６１３３の長手方向に平行に延びる一対の側辺のうちの他方の側辺に設けられている。フレーム下スライド部６１３２は、フレーム下シール固定部６１３３の長手方向において、フレーム下スライド部６１３１が位置している端部と同じ側の端部に位置している。フレーム下スライド部６１３１および６１３２は、フレーム下シール固定部６１３３において、全熱交換素子支持部６１３４が設けられている側とは反対側に延びている。フレーム下スライド部６１３１の先端は、フレーム下シール固定部６１３３の中央に向かって直角に屈曲され、被案内部６１３５が形成されている。フレーム下スライド部６１３２の先端は、フレーム下シール固定部６１３３の中央に向かって直角に屈曲され、被案内部６１３６が形成されている。換言すると、フレーム下スライド部６１３１および６１３２は、図２に示されるように断面形状がＬ字型であり、被案内部６１３５と被案内部６１３６とが対向するよう設けられている。
【００２２】
全熱交換素子６を全熱交換素子フレーム６１３で支持した状態で筐体２に挿入するとき、フレーム下スライド部６１３１および６１３２が設けられている端部から筐体２の内部に挿入される。
【００２３】
図２に示されるように、フレーム下シール固定部６１３３の下面に、シール部材４３が固定されている。シール部材４３には、逆Ｕ字型の筐体下シール部材２３３が固定されている。シール部材４３と筐体下シール部材２３３とで同じ遮蔽度合いを実現するために必要な圧縮率は異なっている。
【００２４】
下方垂直隔壁２７１は、筐体下レール部２４３１と筐体下シール部材支持部２４４１と接続部２４５１とを有している。筐体下レール部２４３１は、上側壁部２４３１Ｕと下側壁部２４３１Ｄと側壁部２４３１Ｓとを有している。上側壁部２４３１Ｕおよび下側壁部２４３１Ｄは、全熱交換素子フレーム６１３の挿抜方向（以下、挿抜方向）において平行に延びている。側壁部２４３１Ｓは、筐体下レール部２４３１における挿抜方向の全領域にわたって、上側壁部２４３１Ｕと下側壁部２４３１Ｄとを接続している。上側壁部２４３１Ｕ、下側壁部２４３１Ｄ、および側壁部２４３１Ｓにより、側面に開口する凹部が形成されている。筐体下シール部材支持部２４４１は、上下方向に延びており、筐体下シール部材２３３を支持するための部材である。筐体下レール部２４３１と筐体下シール部材支持部２４４１とは、断面形状がＬ字型の接続部２４５１により接続されている。下方垂直隔壁２７１において、筐体下レール部２４３１、筐体下シール部材支持部２４４１、および接続部２４５１は一体的に形成されている。
【００２５】
下方垂直隔壁２７２は、筐体下レール部２４３２と筐体下シール部材支持部２４４２と接続部２４５２とを有している。筐体下レール部２４３２は、上側壁部２４３２Ｕと下側壁部２４３２Ｄと側壁部２４３２Ｓとを有している。上側壁部２４３２Ｕおよび下側壁部２４３２Ｄは、挿抜方向において平行に延びている。側壁部２４３２Ｓは、筐体下レール部２４３２における挿抜方向の全領域にわたって、上側壁部２４３２Ｕと下側壁部２４３２Ｄとを接続している。上側壁部２４３２Ｕ、下側壁部２４３２Ｄ、および側壁部２４３２Ｓにより、側面に開口する凹部が形成されている。筐体下シール部材支持部２４４２は、上下方向に延びており、筐体下シール部材２３３を支持するための部材である。筐体下レール部２４３２と筐体下シール部材支持部２４４２とは、断面形状がＬ字型の接続部２４５２により接続されている。下方垂直隔壁２７２において、筐体下レール部２４３２、筐体下シール部材支持部２４４２、および接続部２４５２は一体的に形成されている。
【００２６】
全熱交換素子フレーム６１３のフレーム下スライド部６１３１の被案内部６１３５は筐体下レール部２４３１内に配置され、フレーム下スライド部６１３２の被案内部６１３６は筐体下レール部２４３２内に配置されている。フレーム下スライド部６１３１の上述の屈曲した部分の下面と、筐体下レール部２４３１の下側壁部２４３１Ｄの上面は摺動可能に当接し、フレーム下スライド部６１３２の上述の屈曲した部分の下面と、筐体下レール部２４３２の下側壁部２４３２Ｄの上面は摺動可能に当接している。また、筐体下シール部材支持部２４４１および２４４２は、筐体下シール部材２３３内に配置されている。
【００２７】
図４は、本発明の実施の形態１に係る全熱交換換気装置の全熱交換素子の下方の支持構造を側面から示す図である。図４には、下方垂直隔壁２７２と筐体下シール部材２３３の構造が図２の側面方向Ｘ２から示されている。図４中、実線で示すのは側面方向Ｘ２から視認できる稜線である。また、各部材間の位置関係の理解を助けるために、側面方向Ｘ２からは視認できない稜線を点線で示している。図４において、右側が全熱交換素子６の挿入開始位置であり、左側が全熱交換素子６の挿入完了位置である。すなわち、全熱交換素子６は、上述の全熱交換素子フレーム６１１、６１２、６１３、および６１４が取り付けられた状態で、全熱交換素子挿入方向の矢印に従って挿入開始位置から挿入完了位置まで移動する。その際、上述のように、全熱交換素子フレーム６１３のフレーム下スライド部６１３１および６１３２が設けられている端部から筐体２の内部に挿入される。そして、フレーム下スライド部６１３１の被案内部６１３５の下面と、筐体下レール部２４３１の下側壁部２４３１Ｄの上面とが当接し、フレーム下スライド部６１３２の被案内部６１３６の下面と、筐体下レール部２４３２の下側壁部２４３２Ｄの上面とが当接した状態で、全熱交換素子６は移動する。なお、挿入完了位置とは、全熱交換素子６が上述の給気流路および排気流路中に介在する位置である。
【００２８】
図４に示されるように、下方垂直隔壁２７２の筐体下レール部２４３２の下側壁部２４３２Ｄは、挿入完了位置に近づくにつれ、下方向、すなわち重力方向に向かって段階的に変位している。換言すると、全熱交換素子６が挿入完了位置に位置付けられたとき、フレーム下スライド部６１３１と、筐体下レール部２４３１の下側壁部２４３１Ｄとが当接している面、およびフレーム下スライド部６１３２と、筐体下レール部２４３２の下側壁部２４３２Ｄとが当接している面と直交する方向において、筐体下シール部材２３３の下面を下方垂直隔壁２７２へ近づける方向へ、下側壁部２４３２Ｄは段階的に変位している。詳述すると、全熱交換素子６が挿入完了位置に位置付けられたとき、下側壁部２４３２Ｄは、逆Ｕ字型の筐体下シール部材２３３の凹部の底面が下方垂直隔壁２７２の筐体下シール部材支持部２４４２の上面に近づき、筐体下シール部材２３３の底面から延びる側壁の下面が下方垂直隔壁２７２の接続部２４５２の上面に近づく方向に、段階的に変位している。
【００２９】
筐体下レール部２４３２の挿入完了位置には、圧縮部材２７３が配設されている。圧縮部材２７３は円柱状の部材であり、筐体下レール部２４３２の下側壁部２４３２Ｄと、上側壁部２４３２Ｕと間において、挿抜方向と交差する方向に延びるよう配設されている。全熱交換素子６が挿入完了位置に位置づけられたとき、全熱交換素子フレーム６１３のフレーム下スライド部６１３２の被案内部６１３６は、下側壁部２４３２Ｄと圧縮部材２７３との間に位置づけられる。
【００３０】
なお、下方垂直隔壁２７１の筐体下レール部２４３１の下側壁部２４３１Ｄも、同様の構成を有している。下方垂直隔壁２７１の筐体下レール部２４３１の下側壁部２４３１Ｄは、挿入完了位置に近づくにつれ、下方向、すなわち重力方向に向かって段階的に変位している。すなわち、全熱交換素子６が挿入完了位置に位置付けられたとき、下側壁部２４３１Ｄは、逆Ｕ字型の筐体下シール部材２３３の凹部の底面が下方垂直隔壁２７１の筐体下シール部材支持部２４４１の上面に近づき、筐体下シール部材２３３の底面から延びる側壁の下面が下方垂直隔壁２７１の接続部２４５１の上面に近づく方向に、段階的に変位している。また、筐体下レール部２４３１の挿入完了位置には、圧縮部材２７３と同様の圧縮部材が設けられている。
【００３１】
また、筐体下シール部材２３３と、筐体２を接続することで、筐体２は、断面Ｘ１で示した面で分割して製造し、設置現場で組み立てることで製品として成立させることができる。製造時および現地搬入までの状態を小型化することができるため、包装材料を減らせるだけでなく、筐体２を平板板金部材からの打ち抜き方法を工夫することで廃棄材料を減らすことができるため、経済性や環境性の面で有利である。
【００３２】
図５は、本発明の実施の形態１に係る全熱交換換気装置の全熱交換素子の上方の支持構造を拡大して示す断面図である。全熱交換素子フレーム６１１は、断面形状が逆Ｙ字型の全熱交換素子結合部６２１と、板状のフレーム上シール部材固定部６４１と、上下方向に延びる接続部６３１とを有している。全熱交換素子結合部６２１には、全熱交換素子６の上側の角部が固定されている。フレーム上シール部材固定部６４１の一方の側端部の下面にシール部材４１１が固定され、他方の側端部の下面にシール部材４１２が固定されている。全熱交換素子結合部６２１とフレーム上シール部材固定部６４１とは、接続部６３１により接続されている。全熱交換素子フレーム６１１において、全熱交換素子結合部６２１、フレーム上シール部材固定部６４１、および接続部６３１は一体的に形成されている。
【００３３】
上方垂直隔壁２５１および２５２は筐体２の上面側の内壁から下方向に延びている。上方垂直隔壁２５１および２５２の下辺部には、それぞれ横方向において筐体２の中央側へ延びるフレーム上シール部２４１および２４２が一体的に設けられている。フレーム上シール部２４１および２４２の間には、開口部ＯＰが形成されている。
【００３４】
フレーム上シール部材固定部６４１は、上方垂直隔壁２５１、２５２およびフレーム上シール部２４１、２４２が形成している空間内に配置され、接続部６３１は開口部ＯＰ内に位置している。そして、フレーム上シール部２４１はシール部材４１１に対向し、フレーム上シール部２４２はシール部材４１２に対向している。
【００３５】
図６は、本発明の実施の形態１に係る全熱交換換気装置の全熱交換素子の側方の支持構造を拡大して示す断面図である。図６には、図１における左側の支持構造が示されている。全熱交換素子フレーム６１４は、断面形状がＹ字型の全熱交換素子結合部６５１と、板状のフレーム側方シール固定部６６１とを有している。全熱交換素子結合部６５１には、全熱交換素子６の左側の角部が固定されている。全熱交換素子フレーム６１４において、全熱交換素子結合部６５１とフレーム側方シール固定部６６１とは一体的に形成されている。フレーム側方シール固定部６６１の下面にシール部材４４が固定されている。水平隔壁２８１は筐体２の左側面の内壁から横方向に延びている。水平隔壁２８１はシール部材４４に対向している。なお、全熱交換素子６において図１の右側も同様の支持構造を有している。全熱交換素子フレーム６１２のフレーム側方シール部材固定部の下面にシール部材４２が固定され、筐体２の右側面の内壁から横方向に延びる水平隔壁２６１はシール部材４２に対向している。
【００３６】
ここで、全熱交換素子６の筐体２への挿抜の態様を説明する。全熱交換素子６を筐体２に挿入する場合、全熱交換素子フレーム６１１、６１２，６１３、および６１４に支持された全熱交換素子６を図４の挿入開始位置に位置づけ、全熱交換素子フレーム６１３のフレーム下スライド部６１３１の被案内部６１３５を下側壁部２４３１Ｄの上面に当接させた状態で筐体下レール部２４３１に配置し、フレーム下スライド部６１３２の被案内部６１３６を下側壁部２４３２Ｄの上面に当接させた状態で筐体下レール部２４３２に配置する。このとき、下方垂直隔壁２７１の筐体下シール部材支持部２４４１および下方垂直隔壁２７２の筐体下シール部材支持部２４４２と筐体下シール部材２３３の凹部の底面との間、筐体下シール部材２３３の底面から延びる側壁の下面と下方垂直隔壁２７１の接続部２４５１の上面および下方垂直隔壁２７２の接続部２４５２の上面との間には、隙間が存在している。また、全熱交換素子フレーム６１１のフレーム上シール部材固定部６４１に固定されているシール部材４１１と上方垂直隔壁２５１のフレーム上シール部２４１との間、およびフレーム上シール部材固定部６４１に固定されているシール部材４１２と上方垂直隔壁２５２のフレーム上シール部２４２との間には、隙間が存在している。また、全熱交換素子フレーム６１４のフレーム側方シール固定部６６１に固定されているシール部材４４と水平隔壁２８１との間、および、全熱交換素子フレーム６１２のフレーム側面シール部に固定されているシール部材４２と水平隔壁２６１との間にも、隙間が存在している。
【００３７】
全熱交換素子６は、全熱交換素子フレーム６１３のフレーム下スライド部６１３１の被案内部６１３５が筐体下レール部２４３１に案内され、フレーム下スライド部６１３２の被案内部６１３６が筐体下レール部２４３２に案内されながら、挿入開始位置から全熱交換素子挿入方向に沿って移動される。そして、全熱交換素子６が挿入完了位置に近づくにつれ、全熱交換素子フレーム６１３は、筐体下レール部２４３１の下側壁部２４３１Ｄおよび筐体下レール部２４３２の下側壁部２４３２Ｄの上述の変位に従って変位する。その結果、筐体下シール部材支持部２４４１、２４４２と筐体下シール部材２３３との間の隙間、筐体下シール部材２３３と接続部２４５１、接続部２４５２との間の隙間、シール部材４１１とフレーム上シール部２４１との間の隙間、シール部材４１２とのフレーム上シール部２４２との間の隙間、シール部材４４と水平隔壁２８１との間の隙間、およびシール部材４２と水平隔壁２６１との隙間が消滅する。
【００３８】
さらに、全熱交換素子６が挿入完了位置に位置づけられると、フレーム下スライド部６１３２の被案内部６１３６が、下側壁部２４３２Ｄと圧縮部材２７３との間に位置づけられ、フレーム下スライド部６１３１の被案内部６１３５が、下側壁部２４３１Ｄと圧縮部材との間に位置づけられる。その結果、シール部材４１１、シール部材４１２、シール部材４２、シール部材４４、筐体下シール部材２３３、およびシール部材４３が圧縮される。
【００３９】
全熱交換素子６を筐体２から抜き出す場合、挿入完了位置に位置づけられている全熱交換素子６を図４の全熱交換素子挿入方向とは反対方向に引き出す。その際、下側壁部２４３２Ｄと圧縮部材２７３とが被案内部６１３６に加えている挟持力、および下側壁部２４３１Ｄと圧縮部材とが被案内部６１３５に加えている挟持力に抗して、全熱交換素子６を全熱交換素子挿入方向とは反対方向へ引っ張る。そして、被案内部６１３６が圧縮部材２７３を超え、被案内部６１３５が圧縮部材を超えて、筐体下レール部２４３１の下側壁部２４３１Ｄおよび筐体下レール部２４３２の下側壁部２４３２Ｄの上述の変位の位置よりも挿入開始位置に近づくと、筐体下シール部材支持部２４４１、２４４２と筐体下シール部材２３３との間、筐体下シール部材２３３と接続部２４５１、接続部２４５２との間、シール部材４１１とフレーム上シール部２４１との間、シール部材４１２とのフレーム上シール部２４２との間、シール部材４４と水平隔壁２８１との間、およびシール部材４２と水平隔壁２６１との間に、隙間が出現する。そして、被案内部６１３５が筐体下レール部２４３１に案内され、被案内部６１３６が筐体下レール部２４３２に案内されながら、全熱交換素子６は、挿入開始位置に位置づけられ、筐体２から取り出される。
【００４０】
以上のように、本実施の形態１によれば、筐体下レール部２４３１および筐体下レール部２４３２は、全熱交換素子６が挿入開始位置に位置付けられたとき、筐体下シール部材支持部２４４１、２４４２と筐体下シール部材２３３との間、筐体下シール部材２３３と下方垂直隔壁２７１の接続部２４５１および下方垂直隔壁２７２の接続部２４５２との間、シール部材４１１とフレーム上シール部２４１との間、シール部材４１２とフレーム上シール部２４２との間、シール部材４４と水平隔壁２８１との間、および、シール部材４２と水平隔壁２６１との間に、隙間が存在するよう、構成されている。この隙間により、全熱交換素子６を筐体２に挿入するときの動作、および筐体２から取り出すときの動作をスムーズに行うことができる。
【００４１】
さらに、全熱交換素子６が挿入完了位置に位置付けられたとき、フレーム下スライド部６１３１と筐体下レール部２４３１の下側壁部２４３１Ｄとが当接している面、およびフレーム下スライド部６１３２と筐体下レール部２４３２の下側壁部２４３２Ｄとが当接している面と直交する方向において、筐体下シール部材２３３の下面を下方垂直隔壁２７２へ近づける方向へ、筐体下レール部２４３１および筐体下レール部２４３２は変位している。従って、全熱交換素子６が筐体２への挿入完了位置に位置づけられ、上述の給気流路および排気流路中に介在するとき、各シール部材がフレーム部および隔壁と当接するため、筐体２と全熱交換素子６との間の密閉性を高めることができる。
【００４２】
従って、全熱交換換気装置１のメンテナンス時の作業性の向上と、全熱交換換気装置１の使用時の高い空気交換効率とを両立することができる。
【００４３】
本実施の形態１によれば、各シール部材は全熱交換素子６を支持するフレームに固着されている。従って、各シール部材が経年劣化した場合でも部品交換が容易である。
【００４４】
本実施の形態１においては、各シール部材は全熱交換素子６を支持するフレームに固着されており、全熱交換素子６が挿入開始位置に位置づけられたとき、各シール部材と隔壁との間に隙間が形成されているが、これに限るものではない。各シール部材を隔壁に固着し、全熱交換素子６が挿入開始位置に位置づけられたとき、各シール部材とフレームとの間に隙間が形成されるよう、構成してもよい。この場合は、各シール部材の取り付けをより強固にすることができる。
【００４５】
筐体下レール部２４３１、２４３２は、挿入完了位置に近づくにつれ、段階的に変位している。従って、全熱交換素子６の挿入完了位置近辺での移動をスムーズに行うことができる。
【００４６】
筐体下レール部２４３２の挿入完了位置には圧縮部材２７３が配設され、筐体下レール部２４３１の挿入完了位置にも同様の圧縮部材が配設されている。これらの圧縮部材は、全熱交換素子６が挿入完了位置に位置づけられたとき、上述の各シール部材を圧縮するためのものである。従って、全熱交換素子６が筐体２への挿入完了位置に位置づけられ、上述の給気流路および排気流路中に介在するとき、筐体２と全熱交換素子６との間の密閉性をより高めることができる。
【００４７】
筐体下レール部２４３２の圧縮部材２７３は円柱状の部材であり、筐体下レール部２４３２の下側壁部２４３２Ｄと、上側壁部２４３２Ｕと間において、挿抜方向と交差する方向に延びるよう配設されている。筐体下レール部２４３１の圧縮部材は円柱状の部材であり、筐体下レール部２４３１の下側壁部２４３１Ｄと、上側壁部２４３１Ｕと間において、挿抜方向と交差する方向に延びるよう配設されている。全熱交換素子６が挿入完了位置に位置づけられたとき、フレーム下スライド部６１３２の被案内部６１３６は、下側壁部２４３２Ｄと圧縮部材２７３との間に位置づけられる。フレーム下スライド部６１３１の被案内部６１３５は、下側壁部２４３１Ｄと圧縮部材との間に位置づけられる。従って、各シール部材の圧縮をより確実なものとすることができ、全熱交換素子６が上述の給気流路および排気流路中に介在するとき、筐体２と全熱交換素子６との間の密閉性をより高めることができる。
【００４８】
実施の形態２．
図７は、本発明の実施の形態２に係る全熱交換換気装置の全熱交換素子の下方の支持構造を拡大して示す断面図である。図７において、図２に示す部材と同一の部材には同一の符号が付されている。全熱交換素子フレーム６２３は、不図示の全熱交換素子支持部と、フレーム下シール固定部６２３７と、一対のフレーム下スライド部６２３０、６２４０とを有している。
【００４９】
フレーム下シール固定部６２３７は、図２のフレーム下シール固定部６１３３と同様の板状部材である。フレーム下シール固定部６１３３の上面には、長手方向の全領域にわたって図２の全熱交換素子支持部６１３４と同様の全熱交換素子支持部が設けられており、実施の形態１の全熱交換素子６と同様の全熱交換素子の下方の角部を支持している。フレーム下スライド部６２３０および６２４０は、図３に示される実施の形態１のフレーム下スライド部６１３１および６１３２と同様、フレーム下シール固定部６２３７の長手方向の一方の端部において、フレーム下シール固定部６２３７の長手方向に平行に延びる一対の側辺にそれぞれ設けられている。
【００５０】
フレーム下スライド部６２３０の先端には、フレーム下シール固定部６２３７の中央に向かって直角に屈曲された３つの被案内部６２３１、６２３２、および６２３３が形成されている。フレーム下スライド部６２４０の先端は、フレーム下シール固定部６２３７の中央に向かって直角に屈曲された３つの被案内部６２４１、６２４２、および６２４３が形成されている。被案内部６２３１と被案内部６２４１とが対向し、被案内部６２３２と被案内部６２４２とが対向し、被案内部６２３３と被案内部６２４３とが対向するよう、フレーム下スライド部６２３０および６２４０は設けられている。
【００５１】
下方垂直隔壁７００は、レール部７０１、７０２、および７０３と、筐体下シール部材支持部７１６と、接続部７２５とを有している。レール部７０１、７０２、および７０３は、挿抜方向において平行に延びる壁部７１１、壁部７１２、および壁部７１３と、側壁部７１５とで構成されている。壁部７１１、壁部７１２、および壁部７１３は、挿抜方向において平行に延びている。側壁部７１５は、挿抜方向の全領域にわたって、壁部７１１、壁部７１２、および壁部７１３を接続している。壁部７１１、壁部７１２、および側壁部７１５により側面に開口する凹部が形成されレール部７０１を構成している。壁部７１２、壁部７１３、および側壁部７１５により側面に開口する凹部が形成されレール部７０２を構成している。壁部７１３、壁部７１４、および側壁部７１５により側面に開口する凹部が形成されレール部７０３を構成している。
【００５２】
筐体下シール部材支持部７１６および接続部７２５は、図２に示されている実施の形態１の筐体下シール部材支持部２４４２、接続部２４５１と同一の構成を有しているので、説明を省略する。
【００５３】
下方垂直隔壁７２０は、レール部７２１、７２２、および７２３と、筐体下シール部材支持部７２６と、接続部７４５とを有している。レール部７２１、７２２、および７２３は、挿抜方向において平行に延びる壁部７３１、壁部７３２、および壁部７３３と、側壁部７３５とで構成されている。壁部７３１、壁部７３２、および壁部７３３は、挿抜方向において平行に延びている。側壁部７３５は、挿抜方向の全領域にわたって、壁部７３１、壁部７３２、および壁部７３３を接続している。壁部７３１、壁部７３２、および側壁部７３５により側面に開口する凹部が形成されレール部７２１を構成している。壁部７３２、壁部７３３、および側壁部７１５により側面に開口する凹部が形成されレール部７２２を構成している。壁部７３３、壁部７３４、および側壁部７３５により側面に開口する凹部が形成されレール部７２３を構成している。
【００５４】
筐体下シール部材支持部７２６および接続部７４５は、図２に示されている実施の形態１の筐体下シール部材支持部２４４２、接続部２４５１と同一の構成を有しているので、説明を省略する。
【００５５】
フレーム下スライド部６２３０の被案内部６２３１はレール部７０１内に配置され、被案内部６２３２はレール部７０２内に配置され、および被案内部６２３３はレール部７０３内に配置されている。被案内部６２３１の下面は壁部７１１の上面に摺動可能に当接し、被案内部６２３２の下面は壁部７１２の上面に摺動可能に当接し、被案内部６２３３の下面は壁部７１３の上面に摺動可能に当接している。
【００５６】
フレーム下スライド部６２４０の被案内部６２４１はレール部７２１内に配置され、被案内部６２４２はレール部７２２内に配置され、および被案内部６２４３はレール部７２３内に配置されている。被案内部６２４１の下面は壁部７３１の上面に摺動可能に当接し、被案内部６２４２の下面は壁部７３２の上面に摺動可能に当接し、被案内部６２４３の下面は壁部７３３の上面に摺動可能に当接している。
【００５７】
なお、本実施の形態２において、全熱交換素子の他の支持構造は、実施の形態１について図５および図６を用いて説明した構造と同一の構造であるので説明は省略する。
【００５８】
図８は、本発明の実施の形態２に係る全熱交換換気装置の全熱交換素子の下方の支持構造を側面から示す図である。図８には、下方垂直隔壁７２０と筐体下シール部材２３３の構造が図７の側面方向Ｘ２から示されている。図８中、実線で示すのは側面方向Ｘ２から視認できる稜線である。また、各部材間の位置関係の理解を助けるために、側面方向Ｘ２からは視認できない稜線を点線で示している。図８において、右側が全熱交換素子の挿入開始位置であり、左側が全熱交換素子の挿入完了位置である。すなわち、全熱交換素子は、実施の形態１における全熱交換素子フレーム６１１、６１２、および６１４と同様のフレーム、および全熱交換素子フレーム６２３が取り付けられた状態で、全熱交換素子挿入方向の矢印に従って挿入開始位置から挿入完了位置まで移動する。
【００５９】
また、実施の形態１と同様、全熱交換素子フレーム６２３のフレーム下スライド部６２３０および６２４０が設けられている端部から筐体２と同様の筐体の内部に挿入される。そして、被案内部６２３１の下面は壁部７１１の上面に摺動可能に当接し、被案内部６２３２の下面は壁部７１２の上面に摺動可能に当接し、被案内部６２３３の下面は壁部７１３の上面に摺動可能に当接した状態で、全熱交換素子は移動する。
【００６０】
図８に示されるように、下方垂直隔壁７２０のレール部７２１の壁部７３１、レール部７２２の壁部７３２、およびレール部７２３の壁部７３３は、挿入完了位置に近づくにつれ、下方向、すなわち重力方向に向かって段階的に変位している。換言すると、全熱交換素子が挿入完了位置に位置付けられたとき、被案内部６２４１の下面と壁部７３１の上面とが当接している面と直交する方向において、筐体下シール部材２３３の下面を下方垂直隔壁７２０へ近づける方向へ、レール部７２１の壁部７３１は段階的に変位している。同様に、全熱交換素子が挿入完了位置に位置付けられたとき、被案内部６２４２の下面と壁部７３２の上面とが当接している面と直交する方向において、筐体下シール部材２３３の下面を下方垂直隔壁７２０へ近づける方向へ、レール部７２２の壁部７３２は段階的に変位している。同様に、全熱交換素子が挿入完了位置に位置付けられたとき、被案内部６２４３の下面と壁部７３３の上面とが当接している面と直交する方向において、筐体下シール部材２３３の下面を下方垂直隔壁７２０へ近づける方向へ、レール部７２３の壁部７３３は段階的に変位している。
【００６１】
詳述すると、全熱交換素子が挿入完了位置に位置付けられたとき、逆Ｕ字型の筐体下シール部材２３３の凹部の底面が下方垂直隔壁７２０の筐体下シール部材支持部７２６の上面に近づき、筐体下シール部材２３３の底面から延びる側壁の下面が下方垂直隔壁７２０の接続部７２５の上面に近づく方向に、壁部７３１、７３２、および７３３は、段階的に変位している。
【００６２】
図８に示されているように、レール部７２１の壁部７３１、レール部７２２の壁部７３２、およびレール部７２３の壁部７３３の上述の変位している位置は、挿入開始位置からの距離がそれぞれ異なっている。筐体下シール部材２３３に最も近いレール部７２３の壁部７３３が変位している位置の挿入開始位置からの距離は最も短く、筐体下シール部材２３３から最も離れているレール部７２１の壁部７３１が変位している位置の挿入開始位置からの距離は最も長くなっている。すなわち、筐体下シール部材２３３に相対的に近いレール部の壁部の変位している位置の挿入開始位置からの距離は、筐体下シール部材２３３から相対的に遠いレール部の壁部の変位している位置の挿入開始位置からの距離よりも短くなっている。
【００６３】
さらに、レール部７２１において、挿入完了位置には圧縮部材８０１が配設され、レール部７２２において、挿入完了位置側の端部には圧縮部材８０２が配設され、レール部７２３において、挿入完了位置側の端部には圧縮部材８０３が配設されている。圧縮部材８０１、８０２、および８０３は、実施の形態１の圧縮部材２７３と同様、円柱状の剛性部材である。圧縮部材８０１は、壁部７３１と壁部７３２との間において、挿抜方向と交差する方向に延びるよう配設され、圧縮部材８０２は、壁部７３２と壁部７３３との間において、挿抜方向と交差する方向に延びるよう配設され、圧縮部材８０３は、壁部７３３と壁部７３４との間において、挿抜方向と交差する方向に延びるよう配設されている。
【００６４】
全熱交換素子が挿入開始位置から挿入され、挿入方向に沿って移動させられると、まず最初に被案内部６２４３が壁部７３３と圧縮部材８０３との間に位置づけられ、さらに挿入方向に沿って移動させられると、被案内部６２４２が壁部７３２と圧縮部材８０２との間に位置づけられる。そして、全熱交換素子が挿入完了位置に位置づけられと、被案内部６２４１が壁部７３１と圧縮部材８０１との間に位置づけられる。
【００６５】
なお、下方垂直隔壁７００のレール部７０１の壁部７１１、レール部７０２の壁部７１２、およびレール部７０３の壁部７１３も同様の構成を有している。壁部７１１、７１２、および７１３は、挿入完了位置に近づくにつれ、下方向、すなわち重力方向に向かって段階的に変位している。すなわち、全熱交換素子が挿入完了位置に位置付けられたとき、壁部７１１、７１２、および７１３は、逆Ｕ字型の筐体下シール部材２３３の凹部の底面が下方垂直隔壁７００の筐体下シール部材支持部７１６の上面に近づき、筐体下シール部材２３３の底面から延びる側壁の下面が下方垂直隔壁７００の接続部７２５の上面に近づく方向に、段階的に変位している。また、筐体下シール部材２３３に最も近いレール部７０３の壁部７１３が変位している位置の挿入開始位置からの距離は最も短く、筐体下シール部材２３３から最も離れているレール部７０１の壁部７１１が変位している位置の挿入開始位置からの距離は最も長くなっている。また、レール部７０１において、挿入完了位置には圧縮部材８０１と同様の圧縮部材が配設され、レール部７０２において、挿入完了位置側の端部には圧縮部材８０２と同様の圧縮部材が配設され、レール部７０３において、挿入完了位置側の端部には圧縮部材８０３と同様の圧縮部材が配設されている。
【００６６】
以上のように、本実施の形態２によれば、下方垂直隔壁７００は複数のレール部７０１、７０２、および７０３を備え、下方垂直隔壁７２０は複数のレール部７２１、７２２、および７２３を備えている。フレーム下スライド部６２３０は、レール部７０１、７０２、および７０３に対応する複数の被案内部６２３１、６２３２、および６２３３を備えている。フレーム下スライド部６２４０は、レール部７２１、７２２、および７２３に対応する複数の被案内部６２４１、６２４２、および６２４３を備えている。そして、これらのレール部は、各レール部と各被案内部とが当接している面と交差する方向において、階層的に配置されている。従って、全熱交換素子６を挿抜するとき、がたつきを抑制することができる。
【００６７】
下方垂直隔壁７００の複数のレール部７０１、７０２、７０３が変位している位置は、挿入開始位置からの距離がそれぞれ異なっており、下方垂直隔壁７２０の複数のレール部７２１、７２２、７２３が変位している位置は、挿入開始位置からの距離がそれぞれ異なっている。従って、全熱交換素子６を挿抜するときのがたつきを、より小さく抑制することができる。
【００６８】
また、筐体下シール部材２３３に最も近いレール部７２３の壁部７３３が変位している位置の挿入開始位置からの距離は最も短く、筐体下シール部材２３３から最も離れているレール部７２１の壁部７３１が変位している位置の挿入開始位置からの距離は最も長くなっている。従って、全熱交換素子６の挿抜をよりスムーズに行うことができる。
【００６９】
また、本実施の形態２においても、複数のレール部のそれぞれの変位している位置に上述のシール部材を圧縮するための圧縮部材が配設されており、複数の被案内部は、複数の前記レール部のそれぞれが変位している位置において、レール部と圧縮部材との間に位置決めされる。従って、全熱交換素子が筐体への挿入完了位置に位置づけられ、上述の給気流路および排気流路中に介在するとき、筐体と全熱交換素子との間の密閉性をより高めることができる。
【符号の説明】
【００７０】
１  全熱交換換気装置、２  筐体、３  給気ファンユニット、４  排気ファンユニット、５  制御基板、６  全熱交換素子、２１  外気吸込口、２２  外気吹出口、２３  室内空気吸込口、２４  室内空気吹出口、４２  シール部材、４３  シール部材、４４  シール部材、２３３  筐体下シール部材、２４１  フレーム上シール部、２４２  フレーム上シール部、２５１  上方垂直隔壁、２５２  上方垂直隔壁、２６１  水平隔壁、２７１  下方垂直隔壁、２７２  下方垂直隔壁、２７３  圧縮部材、２８１  水平隔壁、４１１  シール部材、４１２  シール部材、６１１  全熱交換素子フレーム、６１２  全熱交換素子フレーム、６１３  全熱交換素子フレーム、６１４  全熱交換素子フレーム、６２１  全熱交換素子結合部、６２３  全熱交換素子フレーム、６３１  接続部、６４１  フレーム上シール部材固定部、６５１  全熱交換素子結合部、６６１  フレーム側方シール固定部、７００  下方垂直隔壁、７０１  レール部、７０２  レール部、７０３  レール部、７１１  壁部、７１２  壁部、７１３  壁部、７１４  壁部、７１５  側壁部、７１６  筐体下シール部材支持部、７２０  下方垂直隔壁、７２１  レール部、７２２  レール部、７２３  レール部、７２５  接続部、７２６  筐体下シール部材支持部、７３１  壁部、７３２  壁部、７３３  壁部、７３４  壁部、７３５  側壁部、７４５  接続部、８０１  圧縮部材、８０２  圧縮部材、８０３  圧縮部材、２４３１  筐体下レール部、２４３１Ｄ  下側壁部、２４３１Ｓ  側壁部、２４３１Ｕ  上側壁部、２４３２  筐体下レール部、２４３２Ｄ  下側壁部、２４３２Ｓ  側壁部、２４３２Ｕ  上側壁部、２４４１  筐体下シール部材支持部、２４４２  筐体下シール部材支持部、２４５１  接続部、２４５２  接続部、６１３１  フレーム下スライド部、６１３２  フレーム下スライド部、６１３３  フレーム下シール固定部、６１３４  全熱交換素子支持部、６１３５  被案内部、６１３６  被案内部、６２３０  フレーム下スライド部、６２３１  被案内部、６２３２  被案内部、６２３３  被案内部、６２３７  フレーム下シール固定部、６２４０  フレーム下スライド部、６２４１  被案内部、６２４２  被案内部、６２４３  被案内部、ＯＰ  開口部、Ｘ２  側面方向。
【図１】
2018063069.tif 000003
【図２】
2018063069.tif 000004
【図３】
2018063069.tif 000005
【図４】
2018063069.tif 000006
【図５】
2018063069.tif 000007
【図６】
2018063069.tif 000008
【図７】
2018063069.tif 000009
【図８】
2018063069.tif 000010